(57)【要約】      （修正有）【課題】ファンが誘導した放熱流体を分流させる効果を有する放熱モジュール用ファン固定枠を提供する。【解決手段】放熱モジュール４は、放熱フィンユニット４１、ファン４３、ファン固定枠からなり、ファン固定枠は、ファン嵌合部、固定部３１１および少なくとも１つの通気口３１３を有するフレームを有し、固定部３１１はフレーム３１の四隅にそれぞれ設けられ、固定部３１１は、放熱フィンユニット４１を収納する収納部を画定し、通気口３１３は収納部に配置される放熱フィンユニットの両側にそれぞれ隣接して設けられる。フレームが放熱フィンユニット４１の一端に装着されると、固定部３１１で放熱フィンユニット４１の両側に分流通気口が形成され、通気口３１３により放熱気流が両側に分流して全体の放熱効果を向上させる。【選択図】図４
0003150484.tif 000002
【実用新案登録請求の範囲】
【請求項１】
収納配置する放熱フィンユニット及びファンとともに放熱モジュールを構成するフレームを備えたファン固定枠であって、
前記フレームに、
嵌合部と、
前記フレーム内部に設けられ、放熱フィンユニットを収納する収納部を画定している固定部と、
前記固定部の間にそれぞれ形成されて前記収納部に連通し、該収納部に配置される放熱フィンユニットの両側にそれぞれ隣接する少なくとも１つの通気口と、
を設け、
前記フレームは、両側に少なくとも１つの第１の溝および少なくとも１つの第２の溝を有し、前記第１の溝と前記第２の溝と前記収納部とは、それぞれ連通していることを特徴とする放熱モジュール用ファン固定枠。
【請求項２】
前記フレームは、第１の端部、第２の端部、少なくとも１つのアームおよび少なくとも１つの爪をさらに有し、前記アームは前記フレームの前記第１の端部に設けられ、前記爪は前記フレームの前記第２の端部に設けられていることを特徴とする請求項１に記載の放熱モジュール用ファン固定枠。
【請求項３】
前記放熱モジュールは、放熱フィンユニット、少なくとも１つの導熱管および少なくとも１つのファンを有し、前記ファンは前記フレームの嵌合部に嵌着され、前記第１の溝、前記第２の溝は前記放熱フィンユニットの一方の端部に接合され、前記導熱管は前記放熱フィンユニットに挿着されることを特徴とする請求項１に記載の放熱モジュール用ファン固定枠。
【請求項４】
前記放熱フィンユニットは、側面に溝を有することを特徴とする請求項３に記載の放熱モジュール用ファン固定枠。
【請求項５】
前記ファンは、一方の面が固定部に支持されていることを特徴とする請求項３に記載の放熱モジュール用ファン固定枠。
【請求項６】
前記固定部は、前記フレームの四隅に設けられていることを特徴とする請求項１に記載の放熱モジュール用ファン固定枠。
【考案の詳細な説明】
【技術分野】
【０００１】
本考案は、放熱気流を誘導して分流させ、かつ構成される放熱フィンユニットの体積を減少できる放熱モジュール用ファン固定枠に関する。
【背景技術】
【０００２】
電子機器の作動中において、内部の電子デバイスが熱を発生して、電子デバイスが高温になり処理効率が落ちたり、焼損したりするのを防止するため、放熱ユニットを配置して電子デバイスからの放熱を行っている。該放熱ユニットは、放熱フィンユニットまたは放熱器であることが多い。しかしながら、放熱ユニットだけによる電子デバイスの放熱には、限りがあった。そのため、放熱ユニットに少なくとも１つのファンを組み合わせてファンによる強制放熱で全体の放熱効率を向上させている。
【０００３】
以下、従来技術を図面に基づいて説明する。図１および図２を参照する。図１は、従来技術による放熱ユニットを示す斜視図である。図２は、従来技術による放熱ユニットを示す平面図である。図１および図２に示すように、従来技術による放熱ユニット１は、放熱フィンユニットまたは放熱器であることが多い。放熱ユニット１の上端には、ファン２がファン固定枠２１により全体が覆い被されている。このファン２は、放熱ユニット１に対し、気流を誘導して強制放熱を行う。前記ファン２は、定まった特定のサイズであるため、放熱ユニット１およびファン固定枠２１の設計を行う際に、該ファン２のサイズに合わせた設計をしなければならず、甚だ不便であった。また、ファン２が放熱ユニット１に対し、気流を誘導して強制放熱を行う際、放熱ユニット１の各々のフィンが平行に配列され、フィン間に流道が設けられ、該流道の流動方向が単一方向（前後水平方向）であるため、放熱ユニット１のフィン間の流道に対して放熱気流が垂直に流動してから、両側に水平に流動する。放熱ユニット１の外側のフィンは、前記構造のため、気流を止めてしまい、熱源が放熱ユニット１の中央部に蓄積し、迅速に外部に拡散することができなかった。そのため、放熱効果には、限りがあった。また、従来のファンは、羽根車のハブの設計上、中央の風量が小さく、外側に近い部分では風量が大きかった。以上をまとめると、従来の放熱ユニット１には、熱が溜まりやすく、放熱効果が良好でなく、コストが高いという短所があった。
【考案の概要】
【考案が解決しようとする課題】
【０００４】
本考案の第１の目的は、ファンが誘導した放熱流体を分流させて放熱効果を良好とする効果を備えた放熱モジュール用ファン固定枠を提供することにある。
【０００５】
本考案の第２の目的は、放熱ユニットの材料および生産コストを大幅に削減することができる放熱モジュール用ファン固定枠を提供することにある。
【０００６】
上述の目的を達成するため、本考案の放熱モジュール用ファン固定枠は、嵌合部、固定部および少なくとも１つの通気口を有するフレームを備え、前記固定部はフレームの四隅にそれぞれ設けられている。この固定部は、フレームとともに放熱フィンユニットを収納する収納部を画定している。前記通気口は、放熱フィンユニットの両側にそれぞれ隣接して設けられている。前記フレームは、両側に少なくとも１つの第１の溝および少なくとも１つの第２の溝を有し、この第１の溝と第２の溝と収納部とは、それぞれ連通している。放熱モジュールは、放熱フィンユニット、および少なくとも１つのファンを有して構成され、前記第１の溝、第２の溝は、放熱フィンユニットの一方の端部に接合され、該放熱フィンユニットを収納部内に収納してフレームと結合させるようになっている。フレームが放熱フィンユニットの一端に装着されると、フレームの固定部で放熱フィンユニットの両側に分流通気口が形成される。この通気口は、ファンが放熱気流を誘導し、放熱フィンユニットに対して強制放熱を行う際に用いられる。放熱気流は、放熱フィンユニットに対して垂直に流動して放熱を行う以外に、放熱フィンユニットの両側の通気口により、放熱気流が両側に分流し、全体の放熱効果を向上させる。
【考案の効果】
【０００７】
本考案の放熱モジュール用ファン固定枠は、放熱フィンユニットの両側に通気口を設けることにより、放熱気流が両側に分流し、熱が中央に溜まることがなく、全体の放熱効果を向上させることができ、また、フレームの収納部および第１の溝、第２の溝により、放熱フィンユニットの全体体積を縮小させ、フレームに装着できる。これにより、材料の使用量およびコストを削減することができる。
【図面の簡単な説明】
【０００８】
【図１】従来技術による放熱ユニットを示す斜視図である。
【図２】従来技術による放熱ユニットを示す平面図である。
【図３】本考案の一実施形態による放熱モジュール用ファン固定枠を示す斜視図である。
【図４】本考案の一実施形態による放熱モジュールおよびファン固定枠を示す分解斜視図である。
【図５】本考案の一実施形態による放熱モジュールおよびファン固定枠を示す斜視図である。
【図６】本考案の一実施形態による放熱モジュールおよびファン固定枠を示す平面図である。
【図７】本考案の放熱モジュールおよびファン固定枠の動作状態を示す斜視図である。
【考案を実施するための形態】
【０００９】
以下、図面を参照して本考案の実施形態を説明する。
【実施例】
【００１０】
図３〜図６に示すように、ファン固定枠３は、放熱モジュール４に装着される。このファン固定枠３は、嵌合部３２、少なくとも１つの固定部３１１および少なくとも１つの通気口３１３を有するフレーム３１を備えている。前記固定部３１１は、前記フレーム３１の四隅にそれぞれ設けられている。この固定部３１１は、フレーム３１とともに放熱フィンユニット４１を収納する収納部３１２を画定している。前記通気口３１３は、放熱フィンユニット４１の両側にそれぞれ隣接して設けられている。前記フレーム３１は、両側に少なくとも１つの第１の溝３１４および少なくとも１つの第２の溝３１５を有し、第１の溝３１４と第２の溝３１５と収納部３１２とは、それぞれ連通している。
【００１１】
放熱モジュール４は、放熱フィンユニット４１、少なくとも１つの導熱管４２および少なくとも１つのファン４３を備えて構成されている。前記放熱フィンユニット４１は、複数の放熱フィン４１１および側面に少なくとも１つの溝４１２を有する。放熱フィン４１１の間には、放熱流道４１１１がそれぞれ設けられている。前記導熱管４２は、熱の伝導のため、放熱フィンユニット４１に挿着されている。前記ファン４３は、フレーム３１の嵌合部３２に嵌着され、一方の面が固定部３１１により支持されている。前記フレーム３１の第１の溝３１４、第２の溝３１５は、放熱フィンユニット４１の一方の端部に接合され、放熱フィンユニット４１を収納部３１２内に収納してフレーム３１と結合している。
【００１２】
前記フレーム３１は、第１の端部３３、第２の端部３４、少なくとも１つのアーム３３１および少なくとも１つの爪３４１をさらに有する。前記アーム３３１は、フレーム３１の第１の端部３３に設けられている。前記爪３４１は、フレーム３１の第２の端部３４に設けられている。本実施形態において、アーム３３１は、４本あり、２本ずつ対になるように設けられているが、これに限定されるものではない。アーム３３１は、フレーム３１の第１の端部３３から延伸形成され、ファン４３の側面から末端３３１１を延伸させて、ファン４３の一端を嵌合して固定させ、ファン４３が外れないようにする。また、爪３４１は、フレーム３１の第２の端部３４から延伸形成され、放熱フィンユニット４１の側面に沿って延伸している。前記爪３４１の末端３４１１は、放熱フィンユニット４１の側面の溝４１２に嵌合して放熱フィンユニット４１を固定する。
【００１３】
図７は、本考案実施の形態の放熱モジュールおよびファン固定枠の動作状態を示す斜視図である。図７に示すように、フレーム３１が放熱フィンユニット４１の一端に装着されると、フレーム３１の固定部３１１で放熱フィンユニット４１の両側に分流通気口（通気口３１３と同じ）が形成される。通気口３１３は、ファン４３が放熱気流４３１を誘導し、放熱フィンユニット４１に対して強制放熱を行う際に用いられる。放熱気流４３１は、放熱フィンユニット４１に対して垂直に流動して放熱を行う以外に、放熱フィンユニット４１の両側の通気口３１３により、放熱気流４３１が両側に分流し、全体の放熱効果を向上させる。また、フレーム３１の収納部３１２および第１の溝３１４、第２の溝３１５は、放熱フィンユニット４１の全体体積を縮小させ、フレーム３１に装着させることができる。これにより、ファン４３の外径サイズにしたがって、フレーム３１の内部いっぱいに放熱フィンユニット４１を配置してファン４３に結合する必要がなくなった。そのため、材料の使用量およびコストを削減することができる。
【００１４】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１５】
３  ファン固定枠
４  放熱モジュール
３１  フレーム
３２  嵌合部
３３  第１の端部
３４  第２の端部
４１  放熱フィンユニット
４２  導熱管
４３  ファン
３１１  固定部
３１２  収納部
３１３  通気口
３１４  第１の溝
３１５  第２の溝
３３１  アーム
３４１  爪
４１１  放熱フィン
４１２  溝
４３１  放熱気流
３３１１  末端
３４１１  末端
４１１１  放熱流道
【図１】
0003150484.tif 000003
【図２】
0003150484.tif 000004
【図３】
0003150484.tif 000005
【図４】
0003150484.tif 000006
【図５】
0003150484.tif 000007
【図６】
0003150484.tif 000008
【図７】
0003150484.tif 000009